(57)【要約】【課題】防塵防水効果に優れた被覆線入出線部の防水構造を提供すること。【解決手段】ボックス１の板部２に端縁から切欠部３を設け、該切欠部３に２分割型のパッキン４を嵌合した被覆線入出線部の防水構造であって、前記パッキン４は、パッキン中央部に位置する被覆線把持部４ｂと、その外周部に位置する被覆線把持部よりも硬質のパッキン固定部４ｃとを２色成形したものであり、被覆線把持部４ｂは、被覆線を押圧する幅広端部４１と、幅広端部４１とパッキン固定部４ｃとの間に設けられた薄肉撓み部４２とから形成されるものする。【選択図】図６
2009296717.tif 000002
【特許請求の範囲】
【請求項１】
ボックスの板部に端縁から切欠部を設け、該切欠部に２分割型のパッキンを嵌合した被覆線入出線部の防水構造であって、
前記パッキンは、パッキン中央部に位置する被覆線把持部と、その外周部に位置する被覆線把持部よりも硬質のパッキン固定部とを２色成形したものであり、
被覆線把持部は、被覆線を押圧する幅広端部と、幅広端部とパッキン固定部との間に設けられた薄肉撓み部とから形成されることを特徴とする被覆線入出線部の防水構造。
【請求項２】
被覆線を押圧する幅広端部に、被覆線の挿通方向に対して垂直方向の溝部を形成したことを特徴とする請求項１記載の被覆線入出線部の防水構造。
【発明の詳細な説明】
【技術分野】
【０００１】
本発明は、光接続箱や制御盤等の電気電子機器収納用箱に光ファイバケーブルや電線等の被覆線を入出線する際に使用する被覆線入出線部の防水構造に関するものである。
【背景技術】
【０００２】
光接続箱や制御盤等の電気機器収納用箱には、光ファイバケーブルや電線等の被覆線を入出線する際に使用する被覆線入出線部が設けられている。
【０００３】
被覆線入出線部の防水構造に関して、本願出願人は、電気機器収納用箱に切欠部を設け、該切欠部に２分割したパッキンを嵌合したうえで、パッキン押え部材によりパッキンを固定する被覆線入出線部の防水構造を開示している（特許文献１）。前記防水構造に使用するパッキン５は、図１に示すように、２個の半円形パッキン部材５ａ、５ａからなり、各パッキン部材５ａは半円板状パッキン材５１の周縁上下面に半リング状パッキン材５２、５２をその周縁が半円板状パッキン材５１の周端面より突出させて横溝５３を形成するように配置し、該横溝５３を欠部の奥部内面３１に形成した鍔板部３２とパッキン押え部材６の先端に形成した鍔板部６１に嵌合してパッキンを固定する構造を有するものである。
【０００４】
前記構造を有する被覆線入出線部の防水構造において、被覆線とパッキンとの密着性を高め、防塵防水効果を高めるためには、パッキンの弾力性を高めることが有効であるが、一方、パッキンの弾力性を高めた場合、被覆線の軸方向に引っ張り力が働いた際に、パッキンが外れてしまう問題もあった。
【０００５】
更に、従来は、手作業によりパッキン５は半円板状パッキン材５１の周縁上下面に半リング状パッキン材５２を接着していたため、接着面がズレる問題や、接着材がはみだす問題もあった。
【特許文献１】特開２００４−１５９４７号公報
【発明の開示】
【発明が解決しようとする課題】
【０００６】
本発明の目的は前記問題を解決し、防塵防水効果に優れた被覆線入出線部の防水構造を提供することである。
【課題を解決するための手段】
【０００７】
上記課題を解決するためになされた本発明の被覆線入出線部の防水構造は、ボックスの板部に端縁から切欠部を設け、該切欠部に２分割型のパッキンを嵌合した被覆線入出線部の防水構造であって、前記パッキンは、パッキン中央部に位置する被覆線把持部と、その外周部に位置する被覆線把持部よりも硬質のパッキン固定部とを２色成形したものであり、
被覆線把持部は、被覆線を押圧する幅広端部と、幅広端部とパッキン固定部との間に設けられた薄肉撓み部とから形成されることを特徴とするものである。
【０００８】
請求項２に記載の発明は、請求項１記載の被覆線入出線部の防水構造において、被覆線を押圧する幅広端部に、被覆線の挿通方向に対して垂直方向の溝部を形成したことを特徴とするものである。
【発明の効果】
【０００９】
本発明に係る被覆線入出線部の防水構造では、ボックスの板部に端縁から切欠部を設け、該切欠部に２分割型のパッキンを嵌合した被覆線入出線部の防水構造において使用するパッキンを、パッキン中央部に位置する被覆線把持部と、その外周部に位置する被覆線把持部よりも硬質のパッキン固定部とを２色成形し、前記被覆線把持部は、被覆線を押圧する幅広端部と、幅広端部とパッキン固定部との間に設けられた薄肉撓み部とから形成されるものとしたことにより、被覆線の軸方向に引っ張り力が働いた際にパッキンが外れてしまう問題を回避しつつ、被覆線とパッキンとの密着性を高めて防塵防水効果を高めることを可能とした。
【００１０】
また、被覆線把持部とパッキン固定部とを２色成形することにより、従来の手作業により生じていた接着面のズレ問題や、接着材がはみだす問題が解消した。
【００１１】
更に、被覆線を押圧する幅広端部に、被覆線の挿通方向に対して垂直方向の溝部を形成したことにより、水切り機能が付加され、更に良好な防水効果を得られた。
【発明を実施するための最良の形態】
【００１２】
以下に本発明の好ましい実施形態を、光接続箱に適用して説明する。図１は本願出願人が開示した従来の被覆線入出線部の防水構造を示している。本発明に係る被覆線入出線部の防水構造は、図１に示す従来の被覆線入出線部の防水構造において使用されたパッキン５を改良したものである。従って、本発明を構成するパッキン部材を以下の図２〜図５に示し、本発明を詳細に説明する。なお、図２には本発明に係る被覆線入出線部の防水構造で用いるパッキンを構成するパッキン部材の全体図を示し、図３にはパッキン部材の断面図を示し、図４はパッキン部材の前面図を示し、図５はパッキン部材の上面図を示している。また、図６には本発明に係る被覆線入出線部の防水構造の説明図を示している。
【００１３】
これらの図１〜図６において、１は光接続箱本体、２は光接続箱本体の板部、３は光接続箱本体の板部に端縁に設けた切欠部、４は本発明を構成するパッキン、４ａはパッキンを二分割した半円形パッキン部材、５は従来のパッキン、５ａはパッキンを２分割した半円形パッキン部材、６はパッキン押え部材、７は被覆線を示している。従来のパッキン部材５ａは単一の部材からなり、半円板状パッキン材５１の周縁上下面に半リング状パッキン材５２、５２をその周縁が半円板状パッキン材５１の周端面より突出させて横溝５３を形成して、外周部を肉厚部とし、被覆線挟み込み面及び内部を薄肉部としていた。
【００１４】
本発明に係る被覆線入出線部の防水構造は、図６に示すように、光接続箱本体１の板部２の端縁に設けた切欠部３に分割したパッキン部材４ａ、４ａを嵌合し、これらのパッキン部材４ａ、４ａ間に被覆線７を導入した上で、切欠部３の開口部側からパッキン押え部材６を嵌め込んでパッキン４を固定するものである。
【００１５】
本発明を構成するパッキン部材４ａは、図２〜図５に示すように被覆線７を挟みこんで固定する被覆線把持部４ｂと、被覆線把持部４ｂの外周のうち被覆線７を押圧する幅広端部４１面を除く面をＵ字状に覆うパッキン固定部４ｃとからなり、被覆線把持部４ｂは、被覆線７を押圧する幅広端部４１と、パッキン固定部４ｃと繋がる連結部４３と、幅広端部４１と連結部４３とに囲まれるように被覆線把持部４ｂの中央部分に設けられた薄肉撓み部４２とから構成される。このように幅広端部４１とパッキン固定部４ｃとの間に薄肉撓み部４２を設けた構造とすることにより、被覆線把持部４ｂの撓みやすさが向上し、被覆線７との密着性が高まる効果が得られる。なお、パッキン固定部４ｃは横溝４４を設けて成形され、該横溝４４を前記切欠部３の奥部内面に形成した鍔板部３１及びパッキン押え部材６の先端に形成した鍔板部６１に嵌合する。
【００１６】
被覆線把持部４ｂは、Ｕ字状のパッキン固定部４ｃのＵ字内面積以下まで圧縮可能であるため、パッキン部材４ａの形成時には被覆線把持部４ｂはＵ字状のパッキン固定部４ｃのＵ字内面積よりも大きく形成し、図６に示す使用時に被覆線把持部４ｂ押圧することで被覆線７との密着性を高め、防塵防水効果を高めることが可能となる。
【００１７】
（第二の実施形態）
図７に示すように、被覆線把持部４ｂの被覆線を押圧する幅広端部４１に、被覆線の挿通方向に対して垂直方向の溝部４５を設けることにより、水切り機能を付加し、防水効果をより高めることが可能となる。
（第三の実施形態）
図８に示すように、前記溝部４５を複数設けることも可能である。
【図面の簡単な説明】
【００１８】
【図１】従来の被覆線入出線部の防水構造の分解説明図である。
【図２】本発明の被覆線入出線部の防水構造に用いるパッキン部材の全体図である。
【図３】本発明の被覆線入出線部の防水構造に用いるパッキン部材の断面図である。
【図４】本発明の被覆線入出線部の防水構造に用いるパッキン部材の上面図である。
【図５】本発明の被覆線入出線部の防水構造に用いるパッキン部材の前面図である。
【図６】本発明の被覆線入出線部の防水構造の説明図である。
【図７】第２の実施形態に用いるパッキン部材の断面図である。
【図８】第３の実施形態に用いるパッキン部材の断面図である。
【符号の説明】
【００１９】
１  光接続箱本体
２  光接続箱本体の板部
３  光接続箱本体の板部に端縁に設けた切欠部
３１  鍔板部
４  本発明を構成するパッキン
４ａ  パッキン部材
４ｂ  被覆線把持部
４ｃ  パッキン固定部
４１  幅広端部
４２  薄肉撓み部
４３  連結部
４４  横溝
４５  溝部
５  従来のパッキン
５ａ  半円形パッキン部材
５１  半円板状パッキン材
５２  リング状パッキン材
５３  横溝
６  パッキン押え部材
６１  鍔板部
７  被覆線
【図１】
2009296717.tif 000003
【図２】
2009296717.tif 000004
【図３】
2009296717.tif 000005
【図４】
2009296717.tif 000006
【図５】
2009296717.tif 000007
【図６】
2009296717.tif 000008
【図７】
2009296717.tif 000009
【図８】
2009296717.tif 000010